(57)【特許請求の範囲】
【請求項１】
上面が開放され周壁の一部を切り欠くとともに収納部の底壁に複数の係止片が立設された容器本体と、天板から雌螺子を螺設した内周壁を垂設し前記容器本体の後端で蝶着された蓋体と、操作レバーを有する底板から起立した環状壁の外周に前記雌螺子に螺合する雄螺子が螺設されているとともに前記環状壁の内側に沿って前記底板に長孔が穿設された化粧皿収納料ケースと、を具備してなるコンパクト容器において；前記係止片と前記長孔とが係合するとともに前記内周壁と前記環状壁とが螺合して前記収納部に前記化粧皿収納ケースが着脱自在に且つ回動可能に装着されていることを特徴とするコンパクト容器。
【発明の詳細な説明】
【０００１】
【産業上の利用分野】
本発明は、流動性のある化粧料や揮発性化粧料を収納するのに好適な螺子蓋を用いた気密性にすぐれたコンパクト容器に関する。
【０００２】
【従来の技術】
気密性を必要とする化粧料を螺子蓋で密封したコンパクト容器として、実開平４ー３１６号の公報に開示されたされたものが知られている。
【０００３】
この従来のコンパクト容器は、図７に示すように、化粧ドラム（図示略）を収納した上面に開口する収納室５１を有する容器本体５２の上面を覆う蓋体５３を具備してなるコンパクト容器において、前記蓋体５３の裏面には前記収納室５１を覆う中蓋５４が取り付けられ、この中蓋５４は外部からの操作により前記蓋体５３の裏面に沿って回動可能とされ、当該中蓋５４の周壁５５と前記収納室５１の周壁５６とが互いに螺子嵌合可能な構成となっている。
【０００４】
そして、閉蓋して、中蓋５４を収納室５１に螺子嵌合することにより、収納室５１内の気密性を保持すると同時に、蓋体５３と容器本体５２とを互いに係合させることができる。従って、蓋体５３と容器本体５２との係合手段を別途に設ける必要がないというものである。
【０００５】
【発明が解決しようとする課題】
ところで、上記従来のコンパクト容器は、中蓋５４を蓋体５３の裏面に組み込み、中蓋５４を回動することによって収納室５１を密閉し、且つ蓋体５４と容器本体５２とを係合する構成であるので、中蓋５１の形成に高い精度が要求され、且つ組立工程が複雑になって高価なものになる。
【０００６】
また、化粧料を使い切って新しい化粧料と交換するときは、古い化粧ドラムを収納室５１から取り外し、新しい化粧ドラムをリフィールケースから取り出して収納室５１に装着しなければならず、交換作業中に化粧料を傷つけたり、手指を汚して化粧ドラムの交換作業が難しかった。更に、使用済みのリフィールケースは利用されることがなく廃棄処分されて無駄になっていた。
【０００７】
本発明は、上記の問題に鑑みてなされたもので、気密性を必要とする化粧料を螺子嵌合により気密に密閉しながら、化粧料の交換が容易にできる安価なコンパクト容器にすることを目的としている。
【０００８】
【課題を解決するための手段】
本発明のコンパクト容器は、上面が開放され周壁の一部を切り欠くとともに収納部の底壁に複数の係止片が立設された容器本体と、天板から雌螺子を螺設した内周壁を垂設し前記容器本体の後端で蝶着された蓋体と、操作レバーを有する底板から起立した環状壁の外周に前記雌螺子に螺合する雄螺子が螺設されているとともに前記環状壁の内側に沿って前記底板に長孔が穿設された化粧皿収納料ケースと、を具備してなるコンパクト容器において；前記係止片と前記長孔とが係合するとともに前記内周壁と前記環状壁とが螺合して前記収納部に前記化粧皿収納ケースが着脱自在に且つ回動可能に装着されていることを特徴としている。
【０００９】
【作用】
本発明のコンパクト容器においては、化粧皿収納ケースに螺子蓋が施蓋されて構成されたカートリッジケースを収納部に装着し、螺子蓋を取り去ることにより組立てが完了する。
【００１０】
そして、操作レバーを作動させて化粧皿収納ケースを回動させることにより、容器本体と蓋体とを閉蓋状態に係合するとともに、反対に作動させてその係合を解き放す。
【００１１】
また、使い切った化粧皿は化粧皿収納ケースごと取り外し、新しいものと交換する。
【００１２】
【実施例】
図１乃至図６は、本発明のコンパクト容器の好適な実施例を示すもので、上面が開放され周壁１ａの一部を切り欠いた収納部１ｂを有する容器本体１と、この容器本体１の上面を覆い互いの後端部で蝶着された蓋体２と、化粧料Ｋが充填されたドラム７を装填した環状壁４ａの外周に雄螺子４ｂを螺設し前記収納部１ｂに着脱自在に装着された化粧皿収納ケース４と、からなり、これらの主要部品はＳＡＮ、ＡＢＳ、ＰＰ、ＰＥなど汎用の合成樹脂材料を用いて形成されている。
【００１３】
容器本体１は、左右両側が半円に形成された平板状の底板１ｃの周縁から周壁１ａが立設された扁平な箱体からなり、前記周壁ａの前面ほぼ中央部から一側面のほぼ全域に亘って切り欠かれた切欠部１ｄで開放され化粧皿収納ケース４が装着される平面が円形の収納部１ｂと、パフなどの化粧用具（図示せず）を収納する納置部１ｅとに前記切欠部１ｄが画く円周線上にほぼ半円を画いて底板１ｃから立設されたリブ１ｆによって区画されている。そして、周壁１ａの後端部には蓋体２の蝶番脚２ａが組み込まれた蝶番凹所１ｇが設けられ、周壁１ａ後端部と蝶番脚２ａとが互いに軸着されて蝶番形成されている。
【００１４】
また、収納部１ｂの底板１ｃには、フックを有する一対の係止片１ｈが容器本体１の長手方向に対向して弾性的に突設されており、化粧皿収納ケース４の長孔４ｅと着脱自在に係合し、収納部１ｂ内に化粧皿収納ケース１を回動可能に係着している。
【００１５】
一方、蓋体２は、平板状の天板２ｂの周縁から周壁２ｃが垂設され平面形状が前記容器本体１と相似した扁平な箱体に形成されてなり、納置部１ｅが対応する天板２ｂの部分には化粧鏡６が貼着されているとともに、収納部１ｂの周縁が対応する天板２ｂの部分には周壁２ｃと一体に連続した内周壁２ｄがリードの短い複数条の雌螺子２ｅを内側に螺設して垂設され、この内周壁２ｄに囲まれた天板２ｂの部分には円形のパッキン８が嵌め込まれている。そして、内周壁２ｄと収納部１ｂに装着された化粧皿収納ケース４の環状壁４ａとが螺嵌してドラム７を閉塞し化粧料Ｋを密閉するようになっている。
【００１６】
次ぎに、化粧皿収納ケース４は、図５に示すように、容器本体１の収納部１ｂに装着して回動可能なように収納部１ｂとほぼ相似した円形の底板４ｃから環状壁４ａが起立して設けられ、この環状壁４ａの外周にはリードの短い複数条の雄螺子４ｂが螺設されているとともに、環状壁１ｂの内側には化粧料Ｋが充填されたドラム７が嵌め込まれている。そして、前記底板４ｃの周縁には容器本体１の切欠部１ｄに露出する操作レバー４ｄが突設されている。
【００１７】
また、化粧皿収納ケース４の底板４ｃには、環状壁４ａの内側に沿い容器本体１の係止片１ｈに対応させて化粧皿収納ケース４が所定の距離だけ回動できる寸法に設定した長孔４ｅが対向して穿設され（図３で破線で示す）、この長孔４ｅに前記係止片１ｈが臨んで化粧皿収納ケース４は容器本体１に着脱自在に係着するとともに回動可能に装着されている。
【００１８】
また、化粧皿収納ケース４は、容器本体１に装着されているものとは別に、図４ｂに示すように、別に用意した螺子蓋５を施蓋してカートリッジケース３を構成し、新しい交換用の化粧料が装填されたフィールケースとしても用意されるものである。
【００１９】
以上のように構成された本実施例に於いて、カートリッジケース３の状態から化粧皿収納ケース４を組み込むには、施蓋したままのカートリッジケース３を容器本体１の収納部１ｂに納置して上方から押圧し、係止片１ｈと長孔４ｅとを係合して回動可能に装着し、螺子蓋５を取り外すことにより完了する（図５）。
【００２０】
そして、図６に示すようにコンパクト容器を閉蓋し、切欠部１ｄに露出している操作レバーを図６ａに示す右寄りの位置から時計回りに作動して化粧皿収納ケース４を回動させると、化粧皿収納ケース４の雄螺子４ｂと蓋体２の雌螺子２ｅとが螺合して容器本体１と蓋体２とは係合状態にロックされるとともに（図６ｂ）、化粧料Ｋはパッキン８によって気密に密閉される。
【００２１】
また、このコンパクト容器を用いて化粧をするときは、図６ｂの閉蓋しロックされた状態から操作レバー４ｄを逆時計回りに作動して雄螺子４ｂを雌螺子２ｅから離脱することにより容器本体１と蓋体２との係合を解除し、操作レバー４ｄを上方に押し上げると、図５ａに示すように化粧料が露出し化粧ができる状態に開蓋する。
【００２２】
また、化粧料Ｋを使い切って新しい化粧皿収納ケース４と交換するときは、操作レバー４ｄの下面を上方に突き上げることにより、化粧皿収納ケース４を容器本体１の係止片１ｈから開放して取り外す。そして、新しいカートリッジケース３を装着するのは前述したとおりである。
【００２３】
以上の説明で明らかなように、本実施例のコンパクト容器は、容器本体１に着脱自在に装着した化粧皿収納ケース４を回動させて蓋体２に設けた内周壁２ｄに係合させる構成とした事により、化粧料Ｋを気密にする密閉機構と容器本体１と蓋体２との係合機構が兼用され、中蓋などの密閉手段やフックなどの係合機構を個別に設ける必要がなく、至って簡単な構造になっている。そして、カートリッジケース３は化粧皿収納ケース４として無駄なく機能的に使用される。
【００２４】
【発明の効果】
本発明のコンパクト容器によれば、容器本体に回動可能に、且つ着脱自在に装着できる化粧皿収納ケースと蓋体に設けた内周壁とが係合する構成としたので、容器本体や蓋体に化粧料を密閉する複雑な密閉機構を個別に設ける事がなく、従って、構造も組立も簡単なので安価に製造できる。
【００２５】
また、化粧料を使い切って新しい化粧料と交換するときは、新しいカートリッジケースを施蓋したまま装着できるので、交換作業中に揮発性化粧料等を空気に曝したり、誤って化粧料を傷つけることがなく、交換作業が容易である。更に、装着されたカートリッジケースは螺子蓋を取り除いて化粧皿収納ケースとして機能的に利用され、通常のリフィールケースのように廃棄されてしまうものではないので経済的である。
【図面の簡単な説明】
【図１】本発明のコンパクト容器の実施例の断面図。
【図２】同実施例の正面図。
【図３】同実施例の化粧皿収納ケースを装着した容器本体の平面図。
【図４】同実施例の化粧皿収納ケースを取り外した状態を示す斜視図。
【図５】同実施例の化粧皿収納ケースを装着した状態を示す斜視図。
【図６】同実施例の操作レバーの作動状態を示す斜視図。
【図７】従来の実施例の断面図。
【符号の説明】
１  容器本体，１ａ  周壁，１ｂ  収納部，１ｃ  底壁，１ｈ  係止片，２  蓋体，２ｂ  天板，２ｄ  内周壁，２ｅ  雌螺子，４  化粧皿収納ケース，４ａ環状壁，４ｂ  雄螺子，４ｃ  底板，４ｄ  操作レバー，４ｅ  長孔，
【図１】
0003739105.tif 000002
【図２】
0003739105.tif 000003
【図３】
0003739105.tif 000004
【図４】
0003739105.tif 000005
【図５】
0003739105.tif 000006
【図６】
0003739105.tif 000007
【図７】
0003739105.tif 000008